(57)【要約】      （修正有）【課題】枠材の切欠部をカバーするカバー部材を設けることによって、改修工事などに際しても、ストライクの取付工事を円滑に実施することができるストライクの取付用アダプタを提供する。【解決手段】枠材３１の切欠部３１ｄをカバーするカバー部材１１と、カバー部材１１の内面側に取り付ける保持部材１２とを設け、カバー部材１１は、ストライク２１に適合する開口部１１ａを形成し、保持部材１２は、開口部１１ａ内のストライク２１を保持してねじ止めする。【選択図】図１
2019203303.tif 000002
【特許請求の範囲】
【請求項１】
枠材の切欠部をカバーするようにして枠材に固定するカバー部材と、該カバー部材の内面側に取り付ける保持部材とを備えてなり、前記カバー部材は、ストライクに適合する開口部を有し、前記保持部材は、前記開口部内のストライクを前記カバー部材の表面と平行に保持してねじ止めすることを特徴とするストライクの取付用アダプタ。
【請求項２】
前記カバー部材は、断面Ｌ字状に屈曲させることを特徴とする請求項１記載のストライクの取付用アダプタ。
【請求項３】
前記開口部は、ストライクのリップ部を収納可能とすることを特徴とする請求項２記載のストライクの取付用アダプタ。
【請求項４】
前記保持部材は、前記カバー部材の内面との間にスペーサを介装することを特徴とする請求項１ないし請求項３のいずれか記載のストライクの取付用アダプタ。
【請求項５】
前記保持部材は、ストライクとともにトロ除けをねじ止めすることを特徴とする請求項１ないし請求項４のいずれか記載のストライクの取付用アダプタ。
【発明の詳細な説明】
【技術分野】
【０００１】
この発明は、扉や戸、窓などの戸先側のラッチボルトやデッドボルトと組み合わせる枠側のストライクの取付用アダプタに関する。
【背景技術】
【０００２】
たとえば扉の戸先側のラッチ機構は、戸先側の枠材の見込面に装着するストライクにラッチボルトを係合させて扉を閉鎖状態に保持する。
【０００３】
そこで、ストライクは、ラッチボルトが進入し得る切欠部を枠材に形成した上で、切欠部を覆うようにして枠材の見込面の適位置に固定されている（たとえば特許文献１、２）。なお、ストライクは、枠材に付設する補強材を併用して取り付けることもある（同）。
【先行技術文献】
【特許文献】
【０００４】
【特許文献１】特開２０１７−１７９７７９号公報の図４、図５
【特許文献２】特開２０１５−１０３９８号公報
【発明の概要】
【発明が解決しようとする課題】
【０００５】
かかる従来技術によるときは、たとえば扉自体や扉上のラッチ機構などを改修工事によって交換すると、枠材上のストライクの適位置が変わり、枠材に設ける切欠部を拡張せざるを得なくなって、ストライクの取付が難しくなったり、工事が極端に煩雑になったりすることがあるという問題があった。
【０００６】
そこで、この発明の目的は、かかる従来技術の問題に鑑み、枠材の切欠部をカバーするカバー部材を設けることによって、改修工事などに際しても、ストライクの取付工事を円滑に実施することができるストライクの取付用アダプタを提供することにある。
【課題を解決するための手段】
【０００７】
かかる目的を達成するためのこの発明の構成は、枠材の切欠部をカバーするようにして枠材に固定するカバー部材と、カバー部材の内面側に取り付ける保持部材とを備えてなり、カバー部材は、ストライクに適合する開口部を有し、保持部材は、開口部内のストライクをカバー部材の表面と平行に保持してねじ止めすることをその要旨とする。
【０００８】
なお、カバー部材は、断面Ｌ字状に屈曲させることができ、開口部は、ストライクのリップ部を収納可能とすることができる。
【０００９】
また、保持部材は、カバー部材の内面との間にスペーサを介装してもよく、ストライクとともにトロ除けをねじ止めしてもよい。
【発明の効果】
【００１０】
かかる発明の構成によるときは、カバー部材は、改修工事の際に枠材の切欠部が拡張されることがあっても、拡張後の切欠部の全体をカバーするようにして枠材に固定される。一方、ストライクは、カバー部材の開口部に嵌め込み、開口部内において、保持部材を介してカバー部材の表面と平行に保持してねじ止めすることにより、容易に、しかも体裁よく枠材の見込面の適位置に固定することができる。なお、保持部材は、カバー部材の内面側に取り付けられている。そこで、保持部材は、カバー部材の開口部にストライクを嵌め込むまでは、開口部を介して一部が外部に露出するが、ストライクを開口部に嵌め込むと、全部が外部から隠蔽され、全体の外観体裁を損うおそれがない。
【００１１】
断面Ｌ字状に屈曲するカバー部材は、ストライクを取り付ける枠材の見込面から見付面に及ぶ切欠部を支障なくカバーすることができる上、見込面、見付面の２表面に当接させることにより、枠材に対して一層安定に固定することができる。
【００１２】
カバー部材は、主としてラッチボルト用のストライクに設けるリップ部を収納可能な開口部を形成することにより、ラッチボルトの摺動に対する耐摩耗性を考慮する必要性がない。ラッチボルトは、リップ部を含むストライクの表面上を摺動し、実質的にカバー部材に摺接することがなくなるからである。
【００１３】
保持部材とカバー部材の内面との間にスペーサを介装すれば、カバー部材の表面から、ストライクをねじ止めする保持部材の表面までの段差をストライクの厚さに合致させ、カバー部材の表面と、開口部内のストライクの表面とを正しく同一平面に調整して、一層良好な外観や使い勝手を実現することができる。
【００１４】
ストライクとともにトロ除けを保持部材にねじ止めすることにより、トロ除けを付設するために格別な部材を必要としないというメリットがある。なお、このときのカバー部材の表面から保持部材の表面までの段差は、ストライクの厚さと、トロ除けの取付フランジの厚さとの和相当に調整することが好ましい。
【図面の簡単な説明】
【００１５】
【図１】使用状態分解斜視図
【図２】全体構成分解斜視図
【図３】ストライク、トロ除けの分解斜視図
【図４】全体構成説明図
【図５】全体組立斜視図
【図６】使用状態説明図
【発明を実施するための形態】
【００１６】
以下、図面を以って発明の実施の形態を説明する。
【００１７】
ストライクの取付用アダプタ１０（以下、単にアダプタ１０という）は、カバー部材１１、保持部材１２を主要部材としてなる（図１、図２）。なお、アダプタ１０は、トロ除け２２とともに、ストライク２１を枠材３１の適位置に固定する際に使用する。
【００１８】
枠材３１は、たとえばラッチボルトを有する扉用の戸先側の竪枠であり、板材を折曲げ加工して形成されている。枠材３１の内面側中央部には、戸当り用の突条３１ａが形成され、扉の開き方向側の見込面３１ｂから見付面３１ｃにかけて、扉側のラッチボルトに対応する切欠部３１ｄが形成されている。ただし、切欠部３１ｄは、たとえば扉の改修工事などにより適宜拡張されていてもよい。
【００１９】
ストライク２１は、縦長の板材にラッチボルト用の係合孔２１ａを形成して構成されている（図１、図３）。ストライク２１の一方の長辺には、リップ部２１ｂが形成され、係合孔２１ａの上下には、取付用の皿孔２１ｃ、２１ｃが形成されている。
【００２０】
トロ除け２２は、ストライク２１の係合孔２１ａよりやや幅広の縦長の有底のケース体２２ａに対し、取付フランジ２２ｂ、２２ｂが上下に付設されている。なお、各取付フランジ２２ｂには、取付用の透孔２２ｃが形成され、上下の透孔２２ｃ、２２ｃは、ストライク２１の上下の皿孔２１ｃ、２１ｃと同一間隔に揃えられている。
【００２１】
カバー部材１１は、断面Ｌ字状の縦長の板材である（図１、図２）。カバー部材１１は、枠材３１の切欠部３１ｄをカバーする大きさに形成され、枠材３１の見込面３１ｂ、見付面３１ｃにそれぞれ対応する幅広部１１ｂ、幅狭部１１ｃを有する。幅広部１１ｂには、ストライク２１に適合する開口部１１ａが形成されており、開口部１１ａの一方の長辺は、幅狭部１１ｃ側に開放されている。また、幅広部１１ｂの上下両端部には、取付用の皿孔１１ｄ、１１ｄが形成されている。
【００２２】
保持部材１２は、縦長の板材の中間部に片側開放の切欠き１２ａを形成することにより、上下に旗片１２ｂ、１２ｂを形成して構成されている。切欠き１２ａの上下には、ねじ孔１２ｃ、１２ｃが形成され、ねじ孔１２ｃ、１２ｃの間隔は、トロ除け２２の透孔２２ｃ、２２ｃ、ストライク２１の皿孔２１ｃ、２１ｃの間隔に等しくなっている。
【００２３】
保持部材１２は、スペーサ１３、１３を介してカバー部材１１の内面側に一体に取り付けられている（図２、図４）。ただし、図４（Ａ）は、アダプタ１０の正面図であり、図４（Ｂ）〜（Ｄ）は、それぞれ同図（Ａ）のＸ矢視相当図、Ｙ矢視相当図、Ｚ−Ｚ線矢視相当要部拡大端面図である。
【００２４】
各スペーサ１３は、保持部材１２の各旗片１２ｂの略半分相当の薄板材である。そこで、保持部材１２は、カバー部材１１の内面側に対し、切欠き１２ａが形成されていない側の一辺を幅狭部１１ｃの内面側に当接させるとともに、切欠き１２ａが開口部１１ａの上下方向に対称的に位置するように位置決めした状態で、各旗片１２ｂの表面とカバー部材１１の内面との間にスペーサ１３を介在させて、スペーサ１３、１３とともにカバー部材１１の内面に溶接されている。
【００２５】
そこで、カバー部材１１の表面と開口部１１ａ内に露出する保持部材１２の表面との間に適切な段差ｄが形成され（図４（Ｄ））、カバー部材１１の開口部１１ａ、保持部材１２の切欠き１２ａが重なり合って縦長の窓Ｗが形成され（同図（Ａ））、窓Ｗの上下に保持部材１２のねじ孔１２ｃ、１２ｃ、カバー部材１１の皿孔１１ｄ、１１ｄが一直線状に配列される。ただし、段差ｄは、ストライク２１の厚さ、トロ除け２２の各取付フランジ２２ｂの厚さの和相当となるようにスペーサ１３の板厚、枚数を調整するものとし、窓Ｗは、トロ除け２２のケース体２２ａに適合するものとする。
【００２６】
ストライク２１は、カバー部材１１の開口部１１ａに嵌め込み、開口部１１ａ内において保持部材１２によりカバー部材１１の表面と平行に保持した上、止めビス２３、２３を介し、トロ除け２２とともに保持部材１２にねじ止めすることができる（図１、図５）。ただし、このとき、各止めビス２３は、ストライク２１の皿孔２１ｃ、トロ除け２２の透孔２２ｃを介して保持部材１２のねじ孔１２ｃにねじ込むものとする。また、ねじ止め後のストライク２１の表面は、カバー部材１１の表面と同一平面に仕上げることができる。カバー部材１１、保持部材１２の各表面間の段差ｄが適切に設定され、カバー部材１１の幅狭部１１ｃ側に開放されているストライク２１用の開口部１１ａは、ストライク２１のリップ部２１ｂを併せて収納することができるからである。
【００２７】
その後、皿タッピングビス１４、１４を利用してカバー部材１１を枠材３１の適位置に固定する（図１、図６）。ただし、図６（Ａ）、（Ｂ）は、それぞれ枠材３１の見付面３１ｃ、見込面３１ｂ方向から見た要部外観図、同図（Ｃ）は、扉Ｄの戸先側の要部拡大模式横断面図である。なお、図６（Ａ）、（Ｂ）には、それぞれ竪枠としての枠材３１の上端に連結する上枠としての枠材３２の一部が併せて図示されている。また、各皿タッピングビス１４は、枠材３１に設ける下穴３１ｅにねじ込むものとする。
【００２８】
扉Ｄの戸先側のラッチボルトＢは、扉Ｄを閉鎖位置に閉じることにより（図６（Ｂ）、（Ｃ）の各矢印Ｋ方向）、ストライク２１の表面上を摺動して係合孔２１ａに自動的に係合して扉Ｄを拘束することができる。
【００２９】
以上の説明において、ストライク２１に組み合わせる扉Ｄ側のラッチボルトＢは、扉Ｄの戸先側から直線的に出没するデッドボルトであってもよく、扉Ｄの戸先側から回転しながら出没する鎌形のデッドボルトであってもよい。また、枠材３１は、図示の板材からなるものに代えて、押出形材や木材などの任意の材料からなるものであってもよい。なお、扉Ｄは、ストライク２１と組み合わせるラッチボルトやデッドボルトを備える限り、扉Ｄに限らず、引戸を含む任意の形式の戸や窓などであってもよい。
【産業上の利用可能性】
【００３０】
この発明は、任意の形式の扉や戸、窓などのラッチボルトやデッドボルトと組み合わせるストライクに対し、広く好適に適用することができる。
【符号の説明】
【００３１】
１１…カバー部材
１１ａ…開口部
１２…保持部材
１３…スペーサ
２１…ストライク
２１ｂ…リップ部
２２…トロ除け
３１…枠材
３１ｄ…切欠部
特許出願人      小松ウオール工業株式会社
【図１】
2019203303.tif 000003
【図２】
2019203303.tif 000004
【図３】
2019203303.tif 000005
【図４】
2019203303.tif 000006
【図５】
2019203303.tif 000007
【図６】
2019203303.tif 000008